(57)【要約】【課題】ポイントを獲得したい場合と獲得したくない場合との双方に対応する電子機器を提供する。【解決手段】本発明による電子機器１０は、被写体像を撮像する撮像素子１０１と、撮像素子１０１で撮像された画像を含む画像ファイルを生成するファイル生成手段１０８と、撮影内容に応じたポイントを獲得するために生成された画像ファイルを外部機器へ送信するための送信手段１１６（１１２）と、撮影ごとの指示に応じて、送信手段１１６（１１２）による画像ファイルの送信および非送信を切替える制御手段１０８とを備える。【選択図】図２
2008054191.tif 000002
【特許請求の範囲】
【請求項１】
被写体像を撮像する撮像素子と、
前記撮像素子で撮像された画像を含む画像ファイルを生成するファイル生成手段と、
撮影内容に応じたポイントを獲得するために前記生成された画像ファイルを外部機器へ送信するための送信手段と、
撮影ごとの指示に応じて、前記送信手段による前記画像ファイルの送信および非送信を切替える制御手段とを備えることを特徴とする電子機器。
【請求項２】
請求項１に記載の電子機器において、
前記撮像された画像を表示装置に表示させる表示制御手段をさらに備え、
前記指示は、前記表示装置に前記撮像された画像が表示された後に行われることを特徴とする電気機器。
【請求項３】
請求項１または２に記載の電子機器において、
前記画像ファイルを記録媒体に記録する記録手段をさらに備え、
前記制御手段は、前記送信手段による前記画像ファイルの送信および非送信の切替えを、前記記録手段が前記画像ファイルを記録する前に行うことを特徴とする電子機器。
【請求項４】
請求項３に記載の電子機器において、
前記制御手段は、前記送信手段を前記送信へ切替えた場合、前記記録手段が前記画像ファイルを記録する前に前記画像ファイルを前記外部機器へ送信するように前記送信手段を制御することを特徴とする電子機器。
【請求項５】
請求項４に記載の電子機器において、
前記制御手段は、前記送信手段から前記外部機器へ前記画像ファイルを送信できない場合、この旨を示す情報を前記画像ファイルに含めるように前記ファイル生成手段を制御し、
前記記録手段は、前記情報を含む画像ファイルを前記記録媒体に記録することを特徴とする電子機器。
【請求項６】
請求項４に記載の電子機器において、
前記制御手段は、前記送信手段から前記外部機器へ前記画像ファイルが送信された場合、この旨を示す情報を前記画像ファイルに含めるように前記ファイル生成手段を制御し、
前記記録手段は、前記情報を含む画像ファイルを前記記録媒体に記録することを特徴とする電子機器。
【請求項７】
請求項３に記載の電子機器において、
前記制御手段は、前記送信手段を前記非送信へ切替えた場合、この旨を示す情報を前記画像ファイルに含めるように前記ファイル生成手段を制御し、
前記記録手段は、前記情報を含む画像ファイルを前記記録媒体に記録することを特徴とする電子機器。
【発明の詳細な説明】
【技術分野】
【０００１】
本発明は、電子機器に関する。
【背景技術】
【０００２】
電子機器（カメラ）が所定の動作を行った場合などに、予め動作内容ごとに定められているポイントを生成し、生成したポイントを蓄積する技術が知られている（特許文献１参照）。
【０００３】
【特許文献１】特開２００１−２９２３６８号公報
【発明の開示】
【発明が解決しようとする課題】
【０００４】
従来技術の電子機器は、ユーザがポイントを獲得したくない場合でもポイントが生成、蓄積されてしまう。
【課題を解決するための手段】
【０００５】
（１）本発明による電子機器は、被写体像を撮像する撮像素子と、撮像素子で撮像された画像を含む画像ファイルを生成するファイル生成手段と、撮影内容に応じたポイントを獲得するために生成された画像ファイルを外部機器へ送信するための送信手段と、撮影ごとの指示に応じて、送信手段による画像ファイルの送信および非送信を切替える制御手段とを備えることを特徴とする。
（２）請求項１に記載の電子機器はさらに、撮像された画像を表示装置に表示させる表示制御手段を備えてもよい。この場合の指示は、表示装置に撮像された画像が表示された後に行われることが好ましい。
（３）請求項１または２に記載の電子機器はさらに、画像ファイルを記録媒体に記録する記録手段を備えてもよい。この場合の制御手段は、送信手段による画像ファイルの送信および非送信の切替えを、記録手段が画像ファイルを記録する前に行うことが好ましい。
（４）請求項３に記載の電子機器において、制御手段は、送信手段を送信へ切替えた場合、記録手段が画像ファイルを記録する前に画像ファイルを外部機器へ送信するように送信手段を制御することが好ましい。
（５）請求項４に記載の電子機器において、制御手段は、送信手段から外部機器へ画像ファイルを送信できない場合、この旨を示す情報を画像ファイルに含めるようにファイル生成手段を制御し、記録手段は、情報を含む画像ファイルを記録媒体に記録することが好ましい。
（６）請求項４に記載の電子機器において、制御手段は、送信手段から外部機器へ画像ファイルが送信された場合、この旨を示す情報を画像ファイルに含めるようにファイル生成手段を制御し、記録手段は、情報を含む画像ファイルを記録媒体に記録することが好ましい。
（７）請求項３に記載の電子機器において、制御手段は、送信手段を非送信へ切替えた場合、この旨を示す情報を画像ファイルに含めるようにファイル生成手段を制御し、記録手段は、情報を含む画像ファイルを記録媒体に記録することが好ましい。
【発明の効果】
【０００６】
本発明による電子機器では、ポイントを獲得したい場合と獲得したくない場合との双方に対応できる。
【発明を実施するための最良の形態】
【０００７】
以下、図面を参照して本発明を実施するための最良の形態について説明する。図１は、本発明の一実施形態による電子カメラ１０を含めて構成したポイント提供システムを例示する図である。ポイント提供システムは、サービス提供者が予め定めた所定のルールに基づいてサービス利用者へ得点（ポイント）を提供するためのシステムである。図１において、ネットワークに得点管理サーバ１１、端末（ＰＣ）１２、アクセスポイント１３、および端末（ＰＣ）２１が接続されている。
【０００８】
得点管理サーバ１１は、サービス提供者によってデータセンターなどに配置される。得点管理サーバ１１には、サービス利用者へ提供する得点に関する情報、当該得点をサービス利用者へ提供するための情報、サービス利用者ごとの獲得得点、およびサービス利用者の管理情報などを管理する。ＰＣ１２はサービス提供者によってサービスセンターに配置されたインターネットアクセス端末（たとえば、パーソナルコンピュータ）であり、インターネットを介して得点管理サーバ１１へアクセス可能に構成される。
【０００９】
アクセスポイント１３は、サービス提供者によって観光地や交通ターミナルなどに設けられた無線アクセス端末である。電子カメラ１０が通信機能を有する場合、サービス利用者はアクセスポイント１３を介して得点管理サーバ１１へアクセス可能である。
【００１０】
ＰＣ２１はサービス利用者が使用するインターネットアクセス端末（たとえば、パーソナルコンピュータ）であり、サービス利用者が自宅からインターネットを介して得点管理サーバ１１へアクセス可能に構成される。
【００１１】
上記ポイント提供システムにおいて、サービス利用者は以下のいずれかの態様によって得点管理サーバ１１へアクセスし、ポイント提供サービスを利用する。
（１）サービス利用者は、自宅の端末２１からインターネットに接続してポイント提供サービスを利用する。電子カメラ１０および端末２１間をＵＳＢケーブルなどで接続し、電子カメラ１０内のデータを得点管理サーバ１１へ送受可能にする。
【００１２】
（２）サービス利用者は、自宅の端末２１からインターネットに接続してポイント提供サービスを利用する。電子カメラ１０に装着されている記録媒体１０Ａを、電子カメラ１０から取り出して端末２１のカードスロット（不図示）へ実装し、記録媒体１０Ａ内のデータを得点管理サーバ１１へ送受可能にする。この場合、電子カメラ１０および端末２１間の接続は不要である。
【００１３】
（３）サービス利用者は、電子カメラ１０を観光地などのアクセスポイント１３経由でインターネットに接続し、ポイント提供サービスを利用する。アクセスポイント１３との間で通信が成立した電子カメラ１０は、電子カメラ１０内のデータを得点管理サーバ１１へ送受可能にする。
【００１４】
（４）サービス利用者は、サービスセンターなどの端末１２からインターネットに接続してポイント提供サービスを利用する。電子カメラ１０および端末１２間をＵＳＢケーブルなどで接続し、電子カメラ１０内のデータを得点管理サーバ１１へ送受可能にする。
【００１５】
（５）サービス利用者は、サービスセンターなどの端末１２からインターネットに接続してポイント提供サービスを利用する。電子カメラ１０に装着されている記録媒体１０Ａを、電子カメラ１０から取り出して端末１２のカードスロット（不図示）へ実装し、記録媒体１０Ａ内のデータを得点管理サーバ１１へ送受可能にする。この場合、電子カメラ１０および端末１２間の接続は不要である。
【００１６】
上述したポイント提供システムは、電子カメラ１０が撮影動作を行った場合に、撮影内容（被写体、撮影場所、撮影画像の露出、ピント、ブレ等）や撮影条件（電子カメラ１０の設定状態など）ごとに定められているポイントを生成し、生成したポイントを得点管理サーバ１１に蓄積する。得点管理サーバ１１にポイントを蓄積できない場合は、当該ポイントまたはポイント算出に必要な情報を電子カメラ１０内の記録媒体１０Ａ内に保存しておき、得点管理サーバ１１にポイントを蓄積できるときに記録媒体１０Ａ内の保存情報に基づいて得点管理サーバ１１へポイントを蓄積する。
【００１７】
本発明は、上記ポイント提供システムで使用する電子カメラ１０に関するので、以降の説明は電子カメラ１０を中心に行う。図２は、電子カメラ１０の要部構成を説明するブロック図である。図２において、タイミングジェネレータ(TG)１０５は、メインＣＰＵ１０８から送出される指示に応じて、タイミング信号をドライバ１０４、ＡＦＥ(Analog Front End)回路１０２、Ａ／Ｄ変換回路１０３および画像処理回路１０６へ供給する。ドライバ１０４は、撮像素子１０１で必要とされる駆動信号を供給する。
【００１８】
撮影レンズＬは、撮像素子１０１の撮像面に被写体像を結像させる。撮像素子１０１は、画素に対応する複数の光電変換素子を備えたＣＣＤイメージセンサなどによって構成され、撮像面上に結像されている被写体像を撮像し、被写体像の明るさに応じた光電変換信号を出力する。撮像素子１０１の撮像面には、それぞれＲ（赤）、Ｇ（緑）およびＢ（青）のカラーフィルタが画素位置に対応するように設けられている。撮像素子１０１がカラーフィルタを通して被写体像を撮像するため、撮像素子１０１から出力される光電変換信号は、ＲＧＢ表色系の色情報を有する。
【００１９】
ＡＦＥ回路１０２は、撮像素子１０１から出力される光電変換信号に対するアナログ処理（ゲインコントロールなど）を行う。Ａ／Ｄ変換回路１０３は、アナログ処理後の撮像信号をディジタル信号に変換する。
【００２０】
メインＣＰＵ１０８は、各ブロックから出力される信号を入力して所定の演算を行い、演算結果に基づく制御信号を各ブロックへ出力する。画像処理回路１０６は、たとえばＡＳＩＣとして構成され、Ａ／Ｄ変換回路１０３から入力されるディジタル画像信号に対する画像処理を行う。画像処理には、たとえば、輪郭強調や色温度調整（ホワイトバランス調整）処理、画像信号に対するフォーマット変換処理が含まれる。
【００２１】
画像圧縮回路１０７は、画像処理回路１０６による処理後の画像信号に対して、JPEG方式で所定の圧縮比率の画像圧縮処理を行う。表示画像作成回路１１０は、撮像画像を液晶モニタ１１１に表示させるための表示データを作成する。液晶モニタ１１１は、表示画像作成回路１１０から入力される表示データによる再生画像を表示する。表示画像作成回路１１０は画像表示用データの他、メッセージやメニュー、マークなどを表示するためのデータの作成も行う。これにより、液晶モニタ１１１に画像以外の情報も表示される。
【００２２】
記録媒体１０Ａは、電子カメラ１０に対して着脱可能なメモリカードなどで構成される。記録媒体１０Ａには、メインＣＰＵ１０８からの指示によって撮影画像のデータ、およびその撮影情報を含む画像ファイルが記録される。記録媒体１０Ａにはさらに、メインＣＰＵ１０８からの指示によって識別情報（得点情報）が記録される。記録媒体１０Ａに記録された画像ファイル、識別情報は、それぞれメインＣＰＵ１０８からの指示によって読み出しが可能である。
【００２３】
バッファメモリ１０９は、画像処理前後および画像処理途中のデータを一時的に格納する他、記録媒体１０Ａへ記録する前の画像ファイルを格納したり、記録媒体１０Ａから読み出した画像ファイルを格納したり、識別情報を生成したりするワークメモリとして使用される。
【００２４】
操作部材１１３は、電子カメラ１０の操作ボタン類に対応し、各ボタンの押下操作に対応する操作信号をメインＣＰＵ１０８へ出力する。無線インターフェイス１１６は、メインＣＰＵ１０８からの指示により外部機器（アクセスポイント１３に備えられる端末等）との間で無線ＬＡＮ通信、赤外線通信、および光通信などのいずれかの通信方式によってデータを送受信する。外部インターフェイス１１２は、メインＣＰＵ１０８からの指示により外部機器（パーソナルコンピュータやクレードル等）との間で不図示のケーブルを介してデータを送受信する。
【００２５】
GPS装置１１４は、メインＣＰＵ１０８からの指示に応じてGPS衛星からの電波を受信し、受信信号をメインＣＰＵ１０８へ出力する。メインＣＰＵ１０８は、GPS装置１１４からの受信信号に基づいて所定の演算を行い、電子カメラ１０の測位情報（緯度、経度、高度）を検出する。
【００２６】
方位センサ１１５は、メインＣＰＵ１０８からの指示に応じて地磁気を検出し、検出した地磁気に基づいて電子カメラ１０が向いている方向、すなわち、撮影レンズＬの光軸が向いている方位を求め、求めた方位を示す信号をメインＣＰＵ１０８へ出力する。方位センサ１１５によって検出される方位は、電子カメラ１０による撮影方位に対応する。
【００２７】
上記電子カメラ１０は、撮影時にＥｘｉｆ形式の画像ファイルを生成、記録するとともに、撮影画像ファイルを得点管理サーバ１１へ送信（アップロード）する。撮影画像ファイルを送信できない場合は当該画像ファイルを電子カメラ１０内の記録媒体１０Ａ内に保存しておく。記録媒体１０Ａ内に保存された画像ファイルは、サービス利用者の端末２１（図１）またはサービスセンターの端末１２（図１）を介して得点管理サーバ１１へ送信される。画像ファイルが端末２１または端末１２を介して送信される場合、ポイント提供システムが同じ撮影画像に対して二度以上ポイントを生成・蓄積することは、不正なポイント獲得を招くおそれにつながる。そこで、電子カメラ１０が撮影画像へ識別情報を付加することにより、ポイント提供システムがポイントを重複して生成することを防止する。
【００２８】
＜メイン処理＞
図３は、電子カメラ１０のメインＣＰＵ１０８が行うメイン処理の流れを説明するフローチャートである。図３によるプログラムはメインＣＰＵ１０８内のメモリ（不図示）に格納されており、レリーズボタン（不図示）が半押し操作されたことによる操作信号に応じて起動される。
【００２９】
図３のステップＳ１において、メインＣＰＵ１０８は、カメラ電源オン処理を行ってステップＳ２へ進む。これにより、不図示の電源回路から各ブロックへ電源が供給される。ステップＳ２において、メインＣＰＵ１０８は、ポート設定など自身の初期化を行ってステップＳ３へ進む。ステップＳ３において、メインＣＰＵ１０８は、デフォルトの撮影モード、表示、画像処理などのための初期設定を行ってステップＳ４へ進む。
【００３０】
ステップＳ４において、メインＣＰＵ１０８はレリーズボタンが半押し操作されたか否かを判定する。メインＣＰＵ１０８は、半押し操作信号が入力されるとステップＳ４を肯定判定してステップＳ５へ進み、半押し操作信号が入力されていない場合にはステップＳ４を否定判定し、当該判定処理を繰り返す。
【００３１】
ステップＳ５において、メインＣＰＵ１０８は不図示の焦点検出装置およびレンズ駆動装置へ指示を送り、レンズＬによる焦点調節状態の検出および焦点調節を行わせてステップＳ６へ進む。ステップＳ６において、メインＣＰＵ１０８は撮像素子１０１による撮像を開始させる（電荷蓄積を開始させる）。メインＣＰＵ１０８は、所定時間が経過すると撮像を終了させ、撮像素子１０１から蓄積電荷を掃き出させる。
【００３２】
ステップＳ７において、メインＣＰＵ１０８は、撮像素子１０１からの画像信号を用いて露光演算を行い、ステップＳ８へ進む。ステップＳ８において、メインＣＰＵ１０８はレリーズボタンが全押し操作されたか否かを判定する。メインＣＰＵ１０８は、全押し操作信号が入力されるとステップＳ８を肯定判定してステップＳ９へ進み、全押し操作信号が入力されていない場合にはステップＳ８を否定判定し、ステップＳ１９へ進む。
【００３３】
ステップＳ９において、メインＣＰＵ１０８は撮像素子１０１を初期化（不要電荷を掃き出させる）してステップＳ１０へ進む。ステップＳ１０において、メインＣＰＵ１０８は撮像素子１０１による本撮像を開始させる（電荷蓄積を開始させる）。メインＣＰＵ１０８は、ステップＳ７において得られている制御露出に基づいてシャッタ（不図示）および絞り（不図示）を駆動制御し、制御シャッタ秒時が経過すると撮像を終了させるとともに、撮像素子１０１から蓄積電荷を掃き出させる。
【００３４】
ステップＳ１１において、メインＣＰＵ１０８は画像処理回路１０６へ指示を送り、撮像素子１０１からの画像信号に対して所定の画像処理を行わせてステップＳ１２へ進む。ステップＳ１２において、メインＣＰＵ１０８は表示画像作成回路１１０へ指示を送り、画像処理後のディジタル画像信号を用いて表示データを作成させてステップＳ１３へ進む。これにより、撮影画像が液晶モニタ１１１に再生表示される。
【００３５】
ステップＳ１３において、メインＣＰＵ１０８は表示画像作成回路１１０へ指示を送り、再生表示中の撮影画像に重ねて、以下のメッセージをオーバレイ表示させる。メインＣＰＵ１０８は、たとえば、「この画像を応募しますか？」のメッセージを液晶モニタ１１１に表示させてステップＳ１４へ進む。
【００３６】
ステップＳ１４において、メインＣＰＵ１０８はアップロードを指示されたか否かを判定する。操作部材１１３からアップロードする（応募する）旨を指示する操作信号が入力されるとステップＳ１４を肯定判定してステップＳ１５へ進み、操作部材１１３からアップロードしない（応募しない）旨を指示する操作信号が入力されるとステップＳ１４を否定判定してステップＳ２０へ進む。
【００３７】
ステップＳ１５において、メインＣＰＵ１０８は画像データを送信可能か否かを判定する。メインＣＰＵ１０８は、得点管理サーバ１１と通信可能な状態にあればステップＳ１５を肯定判定してステップＳ１６へ進み、得点管理サーバ１１との間で通信できなければステップＳ１５を否定判定してステップＳ２１へ進む。得点管理サーバ１１との間の通信方式は、外部インターフェイス１１２を介した有線通信でも無線インターフェイス１１６を介した無線通信でも構わない。
【００３８】
ステップＳ１６において、メインＣＰＵ１０８は、バッファメモリ１０９に格納されている画像ファイルを通信可能なインターフェイス（外部インターフェイス１１２または無線インターフェイス１１６）を介して得点管理サーバ１１へ送信し、ステップＳ１７へ進む。
【００３９】
ステップＳ１７において、メインＣＰＵ１０８は識別情報を付加してステップＳ１８へ進む。具体的には、バッファメモリ１０９に格納されている撮影画像が送信済みであることを示す付加情報を生成し、撮影画像、付加情報を格納した画像ファイルを作成する。
【００４０】
識別情報は、たとえば、電子透かし技術を用いて撮影画像中に埋め込む透かし情報と、撮影画像と別に付加する付加情報とのうち少なくとも１つで構成され、いずれの場合もＥｘｉｆ形式の画像ファイルに含められる。透かし情報は、画像ファイル内の画像データ部に格納されている撮影画像が複製か否かを示すものであり、撮像素子１０１で取得された画像信号の一部を加工することによって当該撮影画像に埋め込まれる。付加情報は、画像ファイル内に格納されている撮影画像が得点管理サーバ１１へ送信されたか否かを示すものであり、当該画像ファイル内の付加情報部に暗号化されて記録される。ステップＳ１７で付加される識別情報は、付加情報のみで構成される。
【００４１】
なお、得点管理サーバ１１は、(1)画像ファイルが電子カメラ１０から応募された場合であって、当該画像ファイルが上記識別情報を有していない場合、または(2)画像ファイルが端末１２または端末２１（図１）から応募された場合であって、当該画像ファイルが上記識別情報を有しており、この識別情報の透かし情報から当該撮影画像が複製でない（オリジナル画像である）ことを確認し、かつ識別情報の付加情報から当該撮影画像が未送信であることを確認した場合に、ポイントを生成・蓄積するように構成されている。
【００４２】
得点管理サーバ１１はさらに、(1)画像ファイルが電子カメラ１０から応募された場合であって、当該画像ファイルが上記識別情報を有している場合、(2)画像ファイルが端末１２または端末２１（図１）から応募された場合であって、当該画像ファイルが上記識別情報を有していない場合、(3)画像ファイルが端末１２または端末２１（図１）から応募された場合であって、当該画像ファイルが上記識別情報を有しているものの、その付加情報から当該撮影画像が未送信であることを確認できない場合のうち、少なくとも１つに該当する場合はポイント生成・蓄積を行わなわず、電子カメラ１０または端末１２（２１）に対してその旨のメッセージを送信するように構成される。
【００４３】
ステップＳ１８において、メインＣＰＵ１０８は、バッファメモリ１０９内の画像ファイルを記録媒体１０Ａに記録してステップＳ１９へ進む。なお、バッファメモリ１０９の画像ファイルは、ステップＳ１８以降はバッファメモリ１０９内で保存しないように構成されている。
【００４４】
ステップＳ１９において、メインＣＰＵ１０８は半押しタイマー切れか否かを判定する。メインＣＰＵ１０８は、半押し操作信号が入力されない状態が所定時間継続されるとステップＳ１９を肯定判定し、カメラ電源オフ処理を行って図３による処理を終了する。一方、メインＣＰＵ１０８は、半押し操作信号が入力されている、もしくは半押し操作信号が入力されない状態が所定時間に満たない場合にはステップＳ１９を否定判定し、ステップＳ５へ戻って上記処理を繰り返す。
【００４５】
ステップＳ１４を否定判定して進むステップＳ２０において、メインＣＰＵ１０８は識別情報を付加してステップＳ１８へ進む。具体的には、バッファメモリ１０９に格納されている撮影画像が未送信であることを示す付加情報を生成し、撮影画像、付加情報を格納した画像ファイルを作成する。ステップＳ２０で付加される識別情報は、付加情報のみで構成される。
【００４６】
ステップＳ１５を否定判定して進むステップＳ２１において、メインＣＰＵ１０８は識別情報を付加してステップＳ１８へ進む。具体的には、バッファメモリ１０９に格納されている撮影画像の一部を加工して透かし情報（オリジナル画像であることを示す）を埋め込むとともに、当該撮影画像が未送信であることを示す付加情報を生成し、これらを格納した画像ファイルを作成する。ステップＳ２１で付加される識別情報は、透かし情報および付加情報で構成される。
【００４７】
以上説明した実施形態によれば、次の作用効果が得られる。
（１）電子カメラ１０は、撮影した画像のファイルを得点管理サーバ１１へ送信（アップロード）するか否かを尋ねるメッセージを、撮影画像に重ねて液晶モニタ１１１に表示する（ステップＳ１３）。これにより、ユーザは撮影画像を確認した上で、ポイント提供を受けるか否かについて指示するための操作を操作部材１１３から撮影ごとに行うことができる。
【００４８】
（２）電子カメラ１０は、撮影した画像ファイルを得点管理サーバ１１へアップロードするか否かについて、操作部材１１３から入力される操作信号に応じて決定する（ステップＳ１４）。これにより、ユーザの意図に反して得点管理サーバ１１がポイントを提供する（電子カメラ１０が得点管理サーバ１１へ画像ファイルをアップロードする）ことを防止できる。
【００４９】
（３）記録媒体１０Ａへ画像ファイルを記録する（ステップＳ１８）前に上記決定を行うので、記録する画像ファイルに上記（２）で決定した内容を含めることができる。
【００５０】
（４）電子カメラ１０が得点管理サーバ１１へ画像ファイルをアップロードする場合、記録媒体１０Ａへ画像ファイルを記録する（ステップＳ１８）前に、バッファメモリ１０９内に格納されている画像ファイルを用いてアップロードを行う（ステップＳ１６）。これにより、記録媒体１０Ａへ記録した後の画像ファイルを電子カメラ１０から得点管理サーバ１１へアップロードできないので、同じ撮影画像を用いて重複してポイントを獲得することや、外部機器（ＰＣなど）で複製された画像を用いて不正にポイントを獲得することを防止できる。
【００５１】
（５）電子カメラ１０は、画像ファイルのアップロードを指示する操作信号が操作部材１１３から入力されたものの、得点管理サーバ１１へ送信できない場合（ステップＳ１５を否定判定）には、画像ファイルを電子カメラ１０内の記録媒体１０Ａに格納する（ステップＳ１８）ようにした。記録媒体１０Ａ内に格納した画像ファイルは、端末１２または２１から得点管理サーバ１１へアップロードできる。
【００５２】
（６）電子カメラ１０は、得点管理サーバ１１へアップロード済みの画像ファイル、得点管理サーバ１１へ未送信の画像ファイル、およびアップロード指示されていない画像ファイルを識別するための識別情報を画像ファイルに含める（ステップＳ１７、ステップＳ２１、ステップＳ２０）ようにした。これによって、得点管理サーバ１１は、アップロードされた画像ファイルの識別情報を参照することにより、当該画像ファイルを対象にポイントを生成しない場合を次のように判定できる。
【００５３】
（７）得点管理サーバ１１は、電子カメラ１０からアップロードされた画像ファイルに識別情報が含まれている場合、たとえば、電子カメラ１０に対して「以前応募された画像です。」というメッセージを表示させるための信号を送信し、アップロードされた画像を対象とするポイント生成やポイントの蓄積処理を行わない。電子カメラ１０は、液晶モニタ１１１に上記メッセージを表示し、ポイントを獲得できないことをユーザ（サービス利用者）に知らせることができる。
【００５４】
（８）また、得点管理サーバ１１は、端末１２または端末２１からアップロードされた画像ファイルに識別情報が含まれていない場合、たとえば、端末１２または端末２１に対して「応募対象の画像を送信してください。」というメッセージを表示させるための信号を送信し、アップロードされた画像を対象とするポイント生成やポイントの蓄積処理を行わない。端末１２または端末２１は、不図示のモニタに上記メッセージを表示し、ポイントを獲得できないことをユーザ（サービス利用者）に知らせることができる。
【００５５】
（９）さらにまた、得点管理サーバ１１は、端末１２または端末２１からアップロードされた画像ファイルの付加情報から当該画像が過去にアップロードされていないことを確認できない場合、たとえば、端末１２または端末２１に対して「以前応募された画像です。」というメッセージを表示させるための信号を送信し、アップロードされた画像を対象とするポイント生成やポイントの蓄積処理を行わない。端末１２または端末２１は、不図示のモニタに上記メッセージを表示し、ポイントを獲得できないことをユーザ（サービス利用者）に知らせることができる。なお、本実施形態では、過去にアップロードされたことはポイント提供済みと等価であるので、端末１２または端末２１に対して「以前にポイント判定済みです。」というメッセージを表示させるための信号を送信してもよい。
【００５６】
（１０）識別情報を透かし情報と付加情報とで構成し、透かし情報に当該撮影画像が複製でない（オリジナル画像である）ことを示す情報を含めるようにした。得点管理サーバ１１は、端末１２または端末２１からアップロードされた画像ファイルの透かし情報から当該画像がオリジナルであることを判定できない場合、たとえば、端末１２または端末２１に対して「オリジナルの画像を送信してください。」というメッセージを表示させるための信号を送信し、アップロードされた画像を対象とするポイント生成やポイントの蓄積処理を行わない。端末１２または端末２１は、不図示のモニタに上記メッセージを表示し、ポイントを獲得できないことをユーザ（サービス利用者）に知らせることができる。
【００５７】
（１１）付加情報の内容を暗号化して記録するようにしたので、アップロードの有無（送信済／未送信）を示す情報が不正に改ざんされるおそれを低減できる。
【００５８】
（１２）画像の真偽を示す情報は透かし情報として画像データに埋め込んだので、改ざんが困難である。したがって、不正なポイント獲得を排除できる。
【００５９】
（変形例１）
ステップＳ１７およびステップＳ２０において付加情報のみを付加する例を説明したが、付加情報とともに透かし情報を作成してもよい。透かし情報を作成することにより、アップロードの有無にかかわらず、電子カメラ１０によって撮影・記録された画像ファイルの全てに、当該撮影画像が複製でない（オリジナル画像である）ことを示す情報を含めることができる。
【００６０】
（変形例２）
識別情報を透かし情報と付加情報とで構成する例を説明したが、いずれか一方の情報のみで識別情報を構成しても構わない。透かし情報のみで構成する場合は、得点管理サーバ１１へ未送信の画像ファイルであることを示す際に透かし加工の程度を強くし、送信済みの画像ファイルであることを示す際には透かし加工の程度を軽くする。一方、付加情報のみで構成する場合は、撮影画像が未送信か否かを示すデータに加えて、撮影画像が複製か否かを示すデータを含む暗号で付加情報を生成する。
【００６１】
（変形例３）
電子機器として電子カメラ１０を例に説明したが、カメラ付き携帯電話機、カメラ付きPDAであってもよい。
【００６２】
以上の説明はあくまで一例であり、上記の実施形態の構成に何ら限定されるものではない。説明に用いた実施形態および変形例１〜変形例３は、それぞれを適宜組合わせて構成しても構わない。
【図面の簡単な説明】
【００６３】
【図１】本発明の一実施形態による電子カメラを含めて構成したポイント提供システムを例示する図である。
【図２】電子カメラの要部構成を説明するブロック図である。
【図３】電子カメラのメインＣＰＵが行うメイン処理のフローチャートである。
【符号の説明】
【００６４】
１０…電子カメラ
１０Ａ…記録媒体
１１…得点管理サーバ
１２、２１…端末（ＰＣ）
１３…アクセスポイント
１０１…撮像素子
１０８…メインＣＰＵ
１０９…バッファメモリ
１１０…表示画像作成回路
１１１…液晶モニタ
１１２…外部インターフェイス
１１３…操作部材
１１６…無線インターフェイス
【図１】
2008054191.tif 000003
【図２】
2008054191.tif 000004
【図３】
2008054191.tif 000005